(57)【特許請求の範囲】
【請求項１】
１つ以上の採点者用クライアントと、１つ以上の試験作成者用クライアントと、前記採点者用クライアント及び試験作成者用クライアントにネットワークを介して接続される採点業務用サーバとを用いて採点業務を支援する採点業務支援方法であって、
解答が記載された答案用紙に対応する答案用紙情報を前記採点業務用サーバから前記採点者用クライアントに供給する段階と、
前記答案用紙情報に基づき前記答案用紙と同一レイアウトの採点結果登録画面を前記採点者用クライアントに表示させる段階と、
答案用紙上で行われた採点結果が前記採点者用クライアントに入力され、採点結果を前記採点結果登録画面上に登録する段階と、
前記採点結果登録画面に登録された採点結果を前記採点者用クライアントから採点業務用サーバに供給する段階と、
前記供給された採点結果を集計し、集計した結果に基づき採点業務用サーバが試験作成者用クライアントに情報提供を行う段階とを有し、
前記答案用紙情報は、少なくとも答案用紙の解答欄の配置情報，問題数情報，配点情報が含まれると共に、得点計算機能，採点処理異常検出機能が組み込まれていることを特徴とする採点業務支援方法。
【請求項２】
実施する試験に対応した答案用紙情報を前記試験作成者用クライアントから前記採点業務用サーバに登録する段階を更に有する請求項１記載の採点業務支援方法。
【請求項３】
１つ以上の採点者用クライアントと、１つ以上の試験作成者用クライアントと、前記採点者用クライアント及び試験作成者用クライアントにネットワークを介して接続される採点業務用サーバとを用いて採点業務を支援する採点業務支援システムであって、
前記採点業務用サーバは、解答が記載された答案用紙に対応する答案用紙情報を前記採点業務用サーバから前記採点者用クライアントに供給すると共に、前記採点者用クライアントから供給される前記解答が記載された答案用紙の採点結果を集計し、集計した結果に基づき試験作成者用クライアントに情報提供を行い、
前記採点者用クライアントは、前記答案用紙情報に基づき前記答案用紙と同一レイアウトの採点結果登録画面を表示し、答案用紙上で行われた採点結果が入力されると、採点結果を前記採点結果登録画面上に登録し、前記採点結果登録画面に登録された採点結果を前記採点業務用サーバに供給する処理を行い、
前記答案用紙情報は、少なくとも答案用紙の解答欄の配置情報，問題数情報，配点情報が含まれると共に、得点計算機能，採点処理異常検出機能が組み込まれていることを特徴とする採点業務支援システム。
【発明の詳細な説明】
【０００１】
【発明の属する技術分野】
本発明は、採点業務支援方法，採点業務支援システムに係り、特に、解答が記載された答案用紙の採点業務を支援する採点業務支援方法，採点業務支援システムに関する。
【０００２】
【従来の技術】
近年、様々な試験が数多く実施されるようになり、解答が記載された答案用紙に対する採点業務を効率良く行うことが望まれている。採点業務には、答案用紙の採点処理，採点結果の集計処理，集計結果に基づく情報提供処理などが含まれる。特に、採点処理は解答が記載された答案用紙を採点し、その採点結果をコンピュータに入力する必要があり、更なる効率化が望まれている。
【０００３】
例えば採点処理を行う方法として、ＯＭＲ（Optical Marker Reader）を利用するものが知られている。また、「特願平１０−２６２６８」には、採点ペンと呼ばれる特殊なセンサを内蔵したペンを利用して答案用紙上で採点することにより、採点結果を自動的にコンピュータに入力する方法が記載されている。
【０００４】
従来、これらの方法を利用したパッケージソフト等を利用して一連の採点業務を行っていた。
【０００５】
【発明が解決しようとする課題】
答案用紙は試験の種類に応じて様々なレイアウトで構成される。一方、コンピュータに入力された採点結果を確認する為の採点画面は画一的に構成される。したがって、答案用紙上で採点した採点結果をコンピュータに入力し、採点結果を採点画面上で確認する場合、答案用紙のレイアウトと採点画面のレイアウトとが大きく異なっていることが多い。
【０００６】
従来、採点者は答案用紙上の解答欄の位置，大きさ，見た目などを活かして直感的に採点を行っており、答案用紙のレイアウトと大きく異なる採点画面上で答案用紙の解答欄の位置，大きさ，見た目などを活かして直感的な作業を行うことができなかった。その結果、採点者の作業効率が下がるという問題があった。
【０００７】
また、採点業務は試験作成者，採点者，教師など多数の人間が作業を行うことが多い。つまり、多様な答案に多数の人間が分散して採点業務を行う為、画一的な仕組みのパッケージソフトで管理することは困難という問題があった。
【０００８】
本発明は、上記の点に鑑みなされたもので、採点者の作業効率を上げることができ、採点業務を迅速化することができ、採点業務サービスを不特定多数のユーザに提供することが可能な採点業務支援方法，採点業務支援システムを提供することを目的とする。
【０００９】
【課題を解決するための手段】
そこで、上記課題を解決するため、本発明は、１つ以上の採点者用クライアントと、１つ以上の試験作成者用クライアントと、前記採点者用クライアント及び試験作成者用クライアントにネットワークを介して接続される採点業務用サーバとを用いて採点業務を支援する採点業務支援方法であって、解答が記載された答案用紙に対応する答案用紙情報を前記採点業務用サーバから前記採点者用クライアントに供給する段階と、前記答案用紙情報に基づき前記答案用紙と同一レイアウトの採点結果登録画面を前記採点者用クライアントに表示させる段階と、答案用紙上で行われた採点結果が前記採点者用クライアントに入力され、採点結果を前記採点結果登録画面上に登録する段階と、前記採点結果登録画面に登録された採点結果を前記採点者用クライアントから採点業務用サーバに供給する段階と、前記供給された採点結果を集計し、集計した結果に基づき採点業務用サーバが試験作成者用クライアントに情報提供を行う段階とを有し、前記答案用紙情報は、少なくとも答案用紙の解答欄の配置情報，問題数情報，配点情報が含まれると共に、得点計算機能，採点処理異常検出機能が組み込まれていることを特徴とする。
【００１０】
このような採点業務支援方法では、採点を行う答案用紙に対応した答案用紙情報をコンピュータに入力することで、答案用紙の解答欄の配置に対応した採点結果登録画面を作成する。そして、採点結果を答案用紙と同一レイアウトの採点結果登録画面の採点結果欄に登録することで、答案用紙と同一レイアウトの採点画面上で答案用紙の解答欄の位置，大きさ，見た目などを活かして直感的な作業を行うことができる。その結果、採点者の作業効率を上げることが可能である。
【００１１】
また、本発明の採点処理方法を採点者用クライアント，採点業務用サーバを含む採点業務支援システムに利用することにより、採点業務を迅速化することができ、採点業務のＡＳＰ（Application Service Provider）サービスを実現することが可能である。
【００１２】
【発明の実施の形態】
次に、本発明の実施の形態について図面に基づいて説明する。
【００１３】
図１は、本発明の採点業務支援システムの一実施例の構成図を示す。図１の採点業務支援システム１は、採点業務用サーバ１０，採点者用クライアント１１ａ〜１１ｎ，試験実施団体用クライアント１２，顧客用クライアント１３が、例えばネットワークとしてのインターネット１４を介して接続されている。
【００１４】
採点業務用サーバ１０は、例えば採点業務のＡＳＰサービスを行うデータセンタ等に設置される。採点者用クライアント１１ａ〜１１ｎは答案用紙の採点を行う採点者等が利用するものである。試験実施団体用クライアント１２は、試験を作成して顧客に実施させる試験実施団体の職員等が利用するものである。また、顧客用クライアント１３は試験実施団体が作成した試験を塾生，学生等に対して行う顧客（例えば、塾，学校等の教員）が利用するものである。
【００１５】
採点者用クライアント１１ａ〜１１ｎ，試験実施団体用クライアント１２，顧客用クライアント１３はインターネット１４に接続可能な端末であり、インターネット上の採点業務用サーバ１０に格納されているＷｅｂページを閲覧可能なブラウザ等のソフトウエアを有している。また、試験実施団体用クライアント１２は採点情報ファイルを作成し、その採点情報ファイルを採点業務用サーバ１０に登録する場合、採点業務用サーバ１０にファイルをアップロードするソフトウエアを有している。
【００１６】
図２は、本発明の採点業務用サーバを実現するコンピュータシステムの一実施例の構成図を示す。図２において、このコンピュ−タシステムは、それぞれバスＢで相互に接続されている入力装置２１と，表示装置２２と，ドライブ装置２３と，記録媒体２４と，補助記憶装置２５と，メモリ装置２６と，演算処理装置２７と，インターフェース装置２８と，ＤＢ２９とを含むように構成される。
【００１７】
入力装置２１は、コンピュータシステムの利用者が操作するキーボード及びマウスなどで構成され、コンピュータシステムに各種操作信号を入力するために用いられる。表示装置２２は、コンピュータシステムを操作するのに必要な各種ウインドウやデータ等を表示する。インターフェース装置２８は、コンピュータシステムをインターネット１４に接続する為のインターフェースであり、例えばモデム等で構成される。
【００１８】
ＤＢ２９は、採点業務を支援する為に必要な情報，例えば換算テーブル，母体テーブル，累積得点成績テーブル，教室テーブル，受験者テーブル，志望校テーブル，合否判定テーブル，設問テーブル等を格納している。なお、換算テーブル，母体テーブル，累積得点成績テーブル，教室テーブル，受験者テーブル，志望校テーブル，合否判定テーブル，設問テーブルの詳細については後述する。
【００１９】
採点業務の支援に関する採点業務支援プログラムは、ＣＤ−ＲＯＭ等の記録媒体２４によって提供される。採点業務支援プログラムを記録した記録媒体２４は、ドライブ装置２３にセットされ、プログラムが記録媒体２４からドライブ装置２３を介して補助記憶装置２５にインストールされる。
【００２０】
補助記憶装置２５は、インストールされた採点業務支援プログラムを格納すると共に、必要なファイル，データ等を格納する。メモリ装置２６は、コンピュータシステムの起動時に補助記憶装置２５から採点業務支援プログラムを読み出し、格納する。演算処理装置２７は、メモリ装置２６に読み出され格納された採点業務支援プログラムに従って採点業務用サーバ１０に係る処理を実行する。
【００２１】
なお、このプログラムを記録する記録媒体は、ＣＤ−ＲＯＭ、フロッピーディスク、光磁気ディスク（ＭＯ）等の様に情報を光学的，電気的或いは磁気的に記録する記録媒体、ＲＯＭ、フラッシュメモリ等の様に情報を電気的に記録する半導体メモリ等、様々なタイプの記録媒体を用いることができる。
【００２２】
図３は、採点者用クライアントの一実施例の構成図を示す。採点者用クライアント１１ａ〜１１ｎは例えばコンピュータ３０と，コンピュータ３０に例えばＵＳＢ（Universal Serial Bus）等のインターフェスを介して接続される採点ペン３１とを有している。採点ペン３１の先端３２は例えばペンやボールペンなどになっており、答案用紙に採点を行うことができる。なお、図３では、コンピュータの一例としてノート型コンピュータが示されているが、如何なるコンピュータでもよい。採点者は採点ペン３１を利用して答案用紙上で採点することにより、例えば「○」，「×」等の採点結果を自動的にコンピュータに入力することができる。
【００２３】
以下、採点業務支援システム１の処理について図面を参照しつつ説明する。図４は、本発明の採点業務支援システムの処理の一例のシーケンス図を示す。図４のシーケンス図は、ステップＳ１〜Ｓ２のマスタ登録工程，ステップＳ３〜Ｓ５の試験実施工程，ステップＳ６〜Ｓ９の採点＆集計工程，ステップＳ１０〜Ｓ１１の帳票出力工程，ステップＳ１２の出荷工程に大別される。
【００２４】
ステップＳ１では、顧客が顧客用クライアント１３を操作して教室情報および受験者情報を採点業務用サーバ１０の教室テーブルおよび受験者テーブルに登録する。教室テーブルおよび受験者テーブルは、例えば図５，図６のように構成される。図５は、教室テーブルの一例の構成図を示す。図６は、受験者テーブルの一例の構成図を示す。
【００２５】
図５の教室テーブルは、教室コード，教室名，パスワード，連盟コード，コントロールボックス，登録日等を含むように構成される。また、図６の受験者テーブルは、教室コード，受験者コード，氏名，性別，パスワード，志望校コード，内申点，所属中コード等を含むように構成される。
【００２６】
ステップＳ２では、試験実施団体の職員等が試験実施団体用クライアント１２を操作して換算情報，志望校情報を採点業務用サーバ１０の換算テーブルおよび志望校テーブルに登録する。また、職員等は答案用紙に含まれるあらゆる内容（文字，画像，レイアウトなど）がそのままの形態で保持されるファイル形式，例えばＰＤＦ（Portable Document Format）の答案情報ファイル（以下、ＰＤＦ答案という）を採点業務用サーバ１０にアップロードする。
【００２７】
ＰＤＦ答案は、例えばジャバスクリプト（Java Script）等のオブジェクト指向スクリプト言語が組み込まれており、ブラウザやＰＤＦ用出力ソフトで得点又は中間得点の自動計算機能，採点漏れ機能，減点ミス機能を利用することが可能である。これはＰＤＦでなくＨＴＭＬ文書としてイメージファイルおよびＨＴＭＬ文（スタイルシート相当，ジャバスクリプト）で作成してもよい。
【００２８】
また、換算テーブルおよび志望校テーブルは、例えば図７，図８のように構成される。図７は、換算テーブルの一例の構成図を示す。図８は、志望校テーブルの一例の構成図を示す。
【００２９】
図７の換算テーブルは、例えば過去に実施された試験の集計結果に基づきシュミレーションで算出されるものであり、得点を手掛かりに仮の順位，偏差値を求める為に利用される。なお、換算テーブルはテスト種別，学年，実施日，回数，母体コード，集計キー，科目，配点，人数分布，累積人数分布，偏差値等を含むように構成される。また、図８の志望校テーブルは、志望校コード，志望校名，学校種別，学校性別，判定性別，受検科目数，一次募集情報，併願校等を含むように構成される。
【００３０】
試験実施工程では、試験を行う為に利用する試験問題，答案用紙等が試験実施団体から顧客に郵送又は宅配される。なお、試験問題および答案用紙を電子ファイル化して試験実施団体用クライアント１２から顧客用クライアント１３に送信してもよい。
【００３１】
ステップＳ３では、顧客が試験実施団体から郵送等された試験問題，答案用紙等を利用して塾生，学生等に対して試験を行う。試験に利用される答案用紙は、ＰＤＦ答案のレイアウト（解答欄の位置，大きさ，見た目等）と同様である。
【００３２】
ステップＳ３に続いてステップＳ４に進み、顧客は解答が記載された答案用紙を収集し、収集した答案用紙を試験実施団体に郵送又は宅配する。ステップＳ５では、試験実施団体が例えば答案用紙の採点を委託する１人以上の採点者に答案用紙を郵送又は宅配等で供給する。
【００３３】
ステップＳ６では、採点者が例えば採点者用クライアント１１ａを操作して、採点を行う答案用紙に対応するＰＤＦ答案を採点業務用サーバ１０からダウンロード或いは受信（以下、ダウンロードと総称）する。ＰＤＦ答案をダウンロードすると、採点者用クライアント１１ａの画面に例えば図９に示すようなＰＤＦ答案に応じた採点画面が表示される。
【００３４】
図９は、採点画面の一例について説明する図を示す。図９の採点画面は、例えば採点を行う答案用紙が図１０の答案用紙である場合、図１０の答案用紙のレイアウトと同様なレイアウトとなる。具体的には、図１０の答案用紙の各解答欄の配置と図９の採点画面の採点結果欄の配置とが同様となる。また、採点画面上には送信ボタン４０が設けられており、この送信ボタンをクリックすることで採点結果を採点業務用サーバ１０に送信できる。なお、ＨＴＭＬ画面でなくＰＤＦ答案の場合でインターネット１４への常時接続サービスを利用していない場合、複数の答案用紙の採点が終了した後で一括して採点業務用サーバ１０に送信するようにしてもよい。
【００３５】
ステップＳ６に続いてステップＳ７に進み、採点者は、図３の採点ペン３１を利用して答案用紙上で採点することにより、採点結果を図９の採点画面の採点結果欄に登録することができる。採点者は、答案用紙のレイアウトと同様な採点画面上で答案用紙の解答欄の位置，大きさ，見た目などを活かして直感的な作業を行うことができる。なお、採点者はＰＤＦ答案に組み込まれた得点又は中間得点の自動計算機能，採点漏れ機能，減点ミス機能などを利用することができ、更に作業効率を上げることが可能である。採点が終了すると、ステップＳ７に続いてステップＳ８に進み、採点者は採点画面上の送信ボタン４０をクリックし、採点結果を採点業務用サーバ１０に送信する。
【００３６】
ここで、ステップＳ６〜Ｓ８の処理を図１１のフローチャートを参照しつつ更に詳細に説明する。図１１は、採点結果入力送信処理の一例のフローチャートを示す。
【００３７】
図１１中、ステップＳ２０では、採点者が採点者用クライアント１１ａを操作して、採点を行う答案用紙に対応するＰＤＦ答案を採点業務用サーバ１０からダウンロードする。ステップＳ２０に続いてステップＳ２１に進み、採点者は全ての答案用紙の採点が終了したか否かを判定する。まだ、全ての答案用紙の採点が終了していないと判定すると（Ｓ２１においてＮＯ）、ステップＳ２２に進む。なお、全ての答案用紙の採点が終了したと判定すると（Ｓ２１においてＹＥＳ）、処理を終了する。
【００３８】
ステップＳ２２では、採点者が採点者用クライアント１１ａを操作して教室コード，受験者コード等の必要な情報を採点画面に登録する。なお、インターネット１４への常時接続サービスを利用している場合、教室コード，受験者コードに基づき教室テーブル，受験者テーブルから必要な情報を読出して採点画面に登録するようにしてもよい。
【００３９】
ステップＳ２２に続いてステップＳ２３に進み、採点者は全ての設問に対する採点が終了したか否かを判定する。まだ、全ての設問に対する採点が終了していないと判定すると（Ｓ２３においてＮＯ）、ステップＳ２４に進む。なお、全ての設問に対する採点が終了したと判定すると（Ｓ２３においてＹＥＳ）、ステップＳ２８に進む。
【００４０】
ステップＳ２４では、採点者は該当設問に対する解答が正答，減点，誤答の何れかであるかを判定する。該当設問に対する解答が正答であると判定すると（Ｓ２４において正答）、ステップＳ２４に続いてステップＳ２５に進み、採点者は採点ペン３１又はキーボードを操作して正答を表す「０」を採点画面の採点結果欄に登録する。該当設問に対する解答が減点であると判定すると（Ｓ２４において減点）、ステップＳ２４に続いてステップＳ２６に進み、採点者は採点ペン３１又はキーボードを操作して減点を表す「１」，「２」等を採点画面の採点結果欄に登録する。該当設問に対する解答が誤答であると判定すると（Ｓ２４において誤答）、ステップＳ２４に続いてステップＳ２７に進み、採点者は採点ペン３１又はキーボードを操作して誤答を表す「×」等を採点画面の採点結果欄に登録する。ステップＳ２５〜Ｓ２７では、答案用紙上の解答欄に対応する採点画面上の採点結果欄に採点結果が登録された後、ステップＳ２３に進む。
【００４１】
一方、全ての設問に対する採点が終了したと判定すると（Ｓ２３においてＹＥＳ）、ステップＳ２８に進み、採点者用クライアント１１ａはＰＤＦ答案に組み込まれた得点又は中間得点の自動計算機能，採点漏れ機能，減点ミス機能を利用して得点計算，採点漏れチェック，減点ミスチェックを行う。
【００４２】
ステップＳ２８に続いてステップＳ２９に進み、採点者用クライアント１１ａは採点漏れ，減点ミスなどのエラーがあるか否かを判定する。エラーがあると判定すると（Ｓ２９においてＹＥＳ）、ステップＳ２４に進む。また、エラーが無いと判定すると（Ｓ２９においてＮＯ）、ステップＳ３０に進む。
【００４３】
ステップＳ３０では、採点者が採点画面上の送信ボタン４０をクリックすることにより採点結果が採点業務用サーバ１０に送信される。なお、採点業務用サーバ１０は、後述するように受信した採点結果に応じて累積得点成績テーブルを作成する。
【００４４】
図１２は、得点計算，採点漏れチェック，減点ミスチェックの処理の一例のフローチャートを示す。図１２中、ステップＳ４０では、採点者用クライアント１１ａはＰＤＦ答案に組み込まれた集計先得点欄，採点結果欄，配点などの情報を読出す。
【００４５】
ステップＳ４０に続いてステップＳ４１に進み、採点者用クライアント１１ａは採点結果欄に登録された内容が正答を表す「０」又は減点を表す「１〜９９」であるか否かを判定する。採点結果欄に登録された内容が正答を表す「０」又は減点を表す「１〜９９」であると判定すると（Ｓ４１においてＹＥＳ）、採点者用クライアント１１ａはステップＳ４４に進む。また、採点結果欄に登録された内容が正答を表す「０」又は減点を表す「１〜９９」でないと判定すると（Ｓ４１においてＮＯ）、採点者用クライアント１１ａはステップＳ４２に進む。
【００４６】
ステップＳ４２では、採点者用クライアント１１ａは採点結果欄が空白であるか否かを判定する。採点結果欄が空白であると判定すると（Ｓ４２においてＹＥＳ）、採点者用クライアント１１ａはステップＳ４６に進み、画面上に例えば「採点漏れです」というメッセージを表示すると共に、その採点結果欄を黄色等に着色して視覚的に区別できるようにする。また、採点結果欄が空白でないと判定すると（Ｓ４２においてＮＯ）、採点者用クライアント１１ａはステップＳ４３に進む。
【００４７】
ステップＳ４３では、採点者用クライアント１１ａは採点結果欄が「×」であるか否かを判定する。採点結果欄が「×」であると判定すると（Ｓ４３においてＹＥＳ）、採点者用クライアント１１ａは処理を終了する。また、採点結果欄が「×」でないと判定すると（Ｓ４３においてＮＯ）、採点者用クライアント１１ａはステップＳ４５に進み、画面上に例えば「不正な入力です」というメッセージを表示すると共に、その採点結果欄を黄色等に着色して視覚的に区別できるようにする。
【００４８】
一方、採点結果欄に登録された内容が正答を表す「０」又は減点を表す「１〜９９」であると判定すると（Ｓ４１においてＹＥＳ）、ステップＳ４４に進み、採点者用クライアント１１ａは採点結果欄が配点より小さいか否かを判定する。採点結果欄が配点より小さいと判定すると（Ｓ４４においてＹＥＳ）、ステップＳ４８に進み、以下の式（１）により集計先得点欄に登録する点数を算出する。
【００４９】
集計先得点欄＝前回までの集計先得点欄＋配点−採点結果欄・・・・・（１）
また、採点結果欄が配点より小さくないと判定すると（Ｓ４４においてＮＯ）、ステップＳ４７に進み、画面上に例えば「配点≦減点です」というメッセージを表示すると共に、その採点結果欄を黄色等に着色して視覚的に区別できるようにする。なお、ステップＳ４５〜Ｓ４８の処理が終了すると、得点計算，採点漏れチェック，減点ミスチェックの処理を終了する。
【００５０】
再び図４に戻り説明を続けると、採点結果を受信した採点業務用サーバ１０は採点結果の集計処理を行う。この集計処理では、得点に応じた偏差値，順位などが算出される。なお、偏差値，順位などを算出する方法として、換算処理，実集計処理等がある。実集計処理は、その試験を実際に受験した受験者の得点に基づいて偏差値，順位を算出するものである。
【００５１】
まず、採点業務用サーバ１０は、図１３に示すような累積得点成績テーブルを生成する。図１３は、累積得点成績テーブルの一例の構成図を示す。図１３の累積得点成績テーブルは、各受検者の偏差値，順位等を教室，団体，連盟，性別，総合別に表すものである。
【００５２】
累積得点成績テーブルは、テスト種別，学年，実施日，回数，科目コード，得点，中間得点，偏差値，順位等を含むように構成されており、採点者用クライアント１１ａから送信された採点結果に基づき、偏差値および順位を除く部分が作成される。
【００５３】
また、累積得点成績テーブルは、ステップＳ９において、図７の換算テーブル及び図１４に示すような母体テーブルに基づき偏差値および順位が算出され、算出された偏差値および順位が登録される。図１４は、母体テーブルの一例の構成図を示す。図１４の母体テーブルは、母体コード，集計キーに応じた得点毎の平均点，標準偏差等が設定されているものである。なお、母体テーブルは、テスト種別，学年，実施日，回数，母体コード，集計キー，科目，得点，平均点，受験者人数，標準偏差等を含むように構成される。ここで、集計キーとは教室の集計単位を決めるキーであり、ＩＰアドレスのサブネットマスクと類似の働きをする。
【００５４】
ステップＳ１０，Ｓ１０’では、採点業務用サーバ１０が顧客用クライアント１３又は試験実施団体用クライアント１２からの要求に応じて個人成績表，成績一覧表などを作成し、作成した個人成績表，成績一覧表などを例えばＰＤＦの情報提供ファイル（以下、ＰＤＦ帳票という）を利用して顧客用クライアント１３又は試験実施団体用クライアント１２にダウンロードさせる。
【００５５】
個人成績表，成績一覧表は、累積得点成績テーブル，受験者テーブル，図１５に示すような設問テーブル，志望校テーブル，図１６に示すような合否判定テーブルを利用して作成される。図１５は、設問テーブルの一例の構成図を示す。また、図１６は合否判定テーブルの一例の構成図を示す。
【００５６】
図１５の設問テーブルはテスト種別，学年，実施日，回数，科目コード，設問番号，配点，領域コード，選択問題，設問くくり等を含む。また、図１６の合否判定テーブルは、志望校コード，テスト種別，合格基準偏差値，合格基準内申点等を含むように構成される。ここで、設問くくりとは、同じ類の詳細問題を一つの設問にくくるものである。
【００５７】
ステップＳ１１では、試験実施団体の職員等が試験実施団体用クライアント１２を操作してＰＤＦ帳票をダウンロードすると、試験実施団体用クライアント１２の画面に例えば図１７に示すようなＰＤＦ帳票に応じた個人成績表画面，又は成績一覧表画面が表示される。
【００５８】
試験実施団体の職員等は個人成績表画面又は成績一覧表画面を確認し、必要に応じて個人成績表，成績一覧表をプリンタ等の印刷装置で出力する。そして、ステップＳ１２では、出力された個人成績表，成績一覧表が郵送又は宅配等で顧客に供給される。一方、ステップＳ１１’に示すように、顧客用クライアント１３にＰＤＦ帳票をダウンロードして、顧客自身が個人成績表，成績一覧表をプリンタ等の印刷装置で出力することもできる。
【００５９】
また、本発明の採点業務支援システム１の処理は、例えば図１８に示すように行うこともできる。図１８は、本発明の採点業務支援システムの処理の他の一例のシーケンス図を示す。なお、図１８のシーケンス図は一部を除き図４のシーケンス図と同様であり、同一部分に同一符号を付して説明を省略する。
【００６０】
ステップＳ１〜Ｓ３の処理は、図４のシーケンス図と同様である。ただし、ステップＳ３において、顧客は解答が記載された答案用紙を収集し、収集した答案用紙を自分で採点する。
【００６１】
ステップＳ６’では、顧客が例えば顧客用クライアント１３を操作して、採点を行う答案用紙に対応するＰＤＦ答案を採点業務用サーバ１０からダウンロードする。ＰＤＦ答案をダウンロードすると、顧客用クライアント１３の画面に例えば図９に示すようなＰＤＦ答案に応じた採点画面が表示される。
【００６２】
ステップＳ６’に続いてステップＳ７’に進み、顧客は、図３の採点ペン３１又はキーボードを利用して答案用紙上で採点することにより、採点結果を図９の採点画面の採点結果欄に登録する。採点が終了すると、ステップＳ７’に続いてステップＳ８’に進み、顧客は採点画面上の送信ボタン４０をクリックし、採点結果を採点業務用サーバ１０に送信する。なお、採点結果を採点業務用サーバ１０に送信した後のステップＳ９〜ステップＳ１２の処理は、図４のシーケンス図と同様であり説明を省略する。
【００６３】
また、本実施例では、試験実施団体が試験を作成する例について説明したが、顧客側で作成した試験にも本発明の採点業務支援システム１を適用できる。この場合、ステップＳ２において、顧客がＰＤＦ答案を採点業務用サーバ１０にアップロードする。この場合、顧客は採点処理，集計処理，情報提供処理を第三者に委託することが可能となる。
【００６４】
本発明の採点業務支援システム１ではＰＤＦ答案を利用することにより、得点又は中間得点の自動計算機能，採点漏れ機能，減点ミス機能を採点者用クライアントで行うことができ、採点業務用サーバ１０の処理負担を軽減することが可能である。
【００６５】
また、本発明の採点業務支援システム１はＰＤＦ答案及びＰＤＦ帳票を利用することにより、ネットワークを効率的に利用した採点業務が実現できる。その結果、採点業務を迅速化することができる。また、ＰＤＦを利用することで、ページの置き換え，ファイルの添付，注釈の挿入なども可能である。
【００６６】
さらに、本発明の採点業務支援システム１は、採点業務のうち採点処理と集計処理，情報提供処理とを分離することにより、採点業務のＡＳＰサービスを不特定多数のユーザに提供できる。
【００６７】
【発明の効果】
上述の如く、本発明によれば、答案用紙のレイアウトと同様な採点画面上で答案用紙の解答欄の位置，大きさ，見た目などを活かして直感的な作業を行うことができる。その結果、採点者の作業効率を上げることが可能である。
【００６８】
また、本発明の採点処理方法を採点者用クライアント，採点業務用サーバを含む採点業務支援システムに利用することにより、採点業務を迅速化することができ、採点業務のＡＳＰ（Application Service Provider）サービスを実現することが可能である。
【００６９】
【図面の簡単な説明】
【図１】本発明の採点業務支援システムの一実施例の構成図である。
【図２】本発明の採点業務用サーバを実現するコンピュータシステムの一実施例の構成図である。
【図３】採点者用クライアントの一実施例の構成図である。
【図４】本発明の採点業務支援システムの処理の一例のシーケンス図である。
【図５】教室テーブルの一例の構成図である。
【図６】受験者テーブルの一例の構成図である。
【図７】換算テーブルの一例の構成図である。
【図８】志望校テーブルの一例の構成図である。
【図９】採点画面の一例について説明する図である。
【図１０】答案用紙の一例の構成図である。
【図１１】採点結果入力送信処理の一例のフローチャートである。
【図１２】得点計算，採点漏れチェック，減点ミスチェックの処理の一例のフローチャートである。
【図１３】累積得点成績テーブルの一例の構成図である。
【図１４】母体テーブルの一例の構成図である。
【図１５】設問テーブルの一例の構成図である。
【図１６】合否判定テーブルの一例の構成図である。
【図１７】個人成績票画面の一例について説明する図である。
【図１８】本発明の採点業務支援システムの処理の他の一例のシーケンス図である。
【符号の説明】
１    採点業務支援システム
１０    採点業務用サーバ
１１ａ〜１１ｎ    採点者用クライアント
１２    試験実施団体用クライアント
１３    顧客用クライアント
１４    ネットワーク
２１    入力装置
２２    表示装置
２３    ドライブ装置
２４    記録媒体
２５    補助記憶装置
２６    メモリ装置
２７    演算処理装置
２８    インターフェース装置
２９    データベース（ＤＢ）
３０    コンピュータ
３１    採点ペン
【図１】
0003732746.tif 000002
【図２】
0003732746.tif 000003
【図３】
0003732746.tif 000004
【図４】
0003732746.tif 000005
【図５】
0003732746.tif 000006
【図６】
0003732746.tif 000007
【図７】
0003732746.tif 000008
【図８】
0003732746.tif 000009
【図９】
0003732746.tif 000010
【図１０】
0003732746.tif 000011
【図１１】
0003732746.tif 000012
【図１２】
0003732746.tif 000013
【図１３】
0003732746.tif 000014
【図１４】
0003732746.tif 000015
【図１５】
0003732746.tif 000016
【図１６】
0003732746.tif 000017
【図１７】
0003732746.tif 000018
【図１８】
0003732746.tif 000019